(57)【要約】【課題】  クラッチをＯＦＦ状態にしてキャスティングを行なった後、クラッチをＯＮ状態に戻して魚の誘導操作を行なうといった一連の操作を容易且つ確実に行なうことができる魚釣用リールの提供を目的としている。【解決手段】  本発明の魚釣用リールは、リール本体１を保持した手の指で操作可能となるように、クラッチ機構をスプールフリー状態と動力伝達状態のそれぞれの状態に切換え可能な切換部材１８と、スプール７に釣糸を補助的に巻回可能とする補助操作部１７とを備えている。【選択図】図１
2005095086.tif 000002
【特許請求の範囲】
【請求項１】
リール本体に回転自在に支持されたスプールを、前記リール本体の側部に設けられたハンドルの回転操作によって巻取り駆動すると共に、前記スプールから釣糸を放出するスプールフリー状態と釣糸を巻き取る動力伝達状態とに切換えるクラッチ機構を備えた魚釣用リールにおいて、
前記リール本体を保持した手の指で操作可能となるように、前記クラッチ機構を前記スプールフリー状態と前記動力伝達状態のそれぞれの状態に切換え可能な切換部材と、前記スプールに釣糸を補助的に巻回可能とする補助操作部とを設けたことを特徴とする魚釣用リール。
【発明の詳細な説明】
【技術分野】
【０００１】
本発明は、リール本体の側板間に回転自在に支持されたスプールを、釣糸巻取り状態と釣糸放出状態の両状態に切換えるクラッチ機構を備えた魚釣用リールの改良に関する。
【背景技術】
【０００２】
実際の魚釣操作では、リールを保持した状態でクラッチ機構の切換部材を移動操作する（クラッチをＯＦＦ状態にする）ことにより、スプールを釣糸放出状態（スプールフリー状態）にして釣糸を所定量放出し、その後、ハンドルを巻き取り方向に回転することにより、クラッチをＯＮ状態（したがって、スプールを釣糸巻取り状態）にして、魚の当たりを待つことになるが、釣糸を放出している段階で魚が食い付くことがある。
【０００３】
この場合に、釣人は、咄嗟にハンドルを巻取り操作してクラッチをＯＮ状態にした後、竿の合わせ操作をできる状態に移行しなければならないが、実は、この一連の操作がやり難い。
【０００４】
そこで、リールを保持した手の指でクラッチ機構を、ＯＮ→ＯＦＦおよびＯＦＦ→ＯＮの両状態に切換え可能とし、釣糸放出状態時に魚が食い付いても切換部材を指で移動操作するだけでスプールを釣糸巻取り状態に切換えて素早い竿の合わせ操作を行なえるようにする技術が従来から知られている（例えば、特許文献１および特許文献２参照）。
【特許文献１】特開昭６０−７８５２６号公報
【特許文献２】特開平７−３９２８５号公報。
【発明の開示】
【発明が解決しようとする課題】
【０００５】
ところで、一般に、釣法の一つとして、ルアーと称される疑似餌にアクションを与えて魚を釣るルアーフィッシングが知られており、このルアーフィッシングにおいては、通常、ロッド及びリールの操作によってルアーを止めたり、動かしたりする等のアクションを与えることが行なわれている。
【０００６】
この場合の操作の一つとして、キャスト後にロッドを引き上げてルアーにアクションを与え、その引き上げた分の釣糸を、ロッドを下げながら糸ふけが生じないようにハンドルを回転操作してスプールに巻回することがある。そして、釣人は、この一連のルアーアクションを、釣場の状況に応じて何回も繰り返し行ない、魚のヒッティングを待つことになる。
【０００７】
前記特許文献１および特許文献２に開示された魚釣用リールによれば、釣糸放出状態から釣糸巻取り状態への移行操作を容易にでき、素早い竿の合わせ操作を行なえるという効果は期待できるが、このような魚釣用リールでルアーフィッシングを行なう場合、釣人は、前述したルアーアクション操作を、リールを握持保持した手によるロッド操作と、反対側の手による巻取り回転操作とを使い分けて行なわなければならず、キャスティング操作後のロッドを操作する腕が伸びきっている状態や、ハンドルが下側に向いている状態（手首の関係上、ロッドと共に保持しているハンドルは下側を向き易い）では、他方の手が不自然な位置となって、容易かつ微妙なハンドル回転操作、すなわち巻取り操作が行なえない、という不具合がある。すなわち、従来の魚釣用リールでは、クラッチをＯＦＦ状態にしてキャスティングを行なった後、クラッチをＯＮ状態に戻して魚の誘導操作を行なうといった一連の操作を容易且つ確実に行なうことが難しかった。
【０００８】
本発明は、前記事情に着目してなされたものであり、その目的とするところは、クラッチをＯＦＦ状態にしてキャスティングを行なった後、クラッチをＯＮ状態に戻して魚の誘導操作を行なうといった一連の操作を容易且つ確実に行なうことができる魚釣用リールを提供することにある。
【課題を解決するための手段】
【０００９】
前記課題を解決するために、本発明は、リール本体に回転自在に支持されたスプールを、前記リール本体の側部に設けられたハンドルの回転操作によって巻取り駆動すると共に、前記スプールから釣糸を放出するスプールフリー状態と釣糸を巻き取る動力伝達状態とに切換えるクラッチ機構を備えた魚釣用リールにおいて、前記リール本体を保持した手の指で操作可能となるように、前記クラッチ機構を前記スプールフリー状態と前記動力伝達状態のそれぞれの状態に切換え可能な切換部材と、前記スプールに釣糸を補助的に巻回可能とする補助操作部とを設けたことを特徴とする。
【発明の効果】
【００１０】
本発明に係る魚釣用リールによれば、クラッチをＯＦＦ状態にしてキャスティングを行なった後、クラッチをＯＮ状態に戻して魚の誘導操作を行なうといった一連の操作を容易且つ確実に行なうことができる。
【発明を実施するための最良の形態】
【００１１】
以下、図面を参照しながら、本発明の実施形態について説明する。  
図１〜図９は本発明の第１の実施形態を示している。図１および図２に示されるように、本実施形態に係る魚釣用リールはリール本体１を備えており、リール本体１は、フレームの左右枠２ａ，２ｂに対し、所定の空間をもって装着される左右側板３ａ，３ｂを有している。一方の側板側（本実施形態では右側板３ｂ側）には、ハンドル５を装着したハンドル軸６が回転可能に支持されている。この場合、ハンドル５は、ハンドル軸６に対して装着されるハンドルアーム５ａ、及びその先端に回転可能に支持されたハンドルノブ５ｂを有している。
【００１２】
左右側板３ａ，３ｂ間には、釣糸が巻回されるスプール７が取り付けられたスプール軸８が回転可能に支持されており、スプール７は、ハンドル軸６に取り付けられている駆動歯車１０、及びスプール軸８に取り付けられているピニオン１２を具備した巻取り駆動機構１３を介して、ハンドル５の回転操作によって回転駆動されるように構成されている。なお、ハンドル軸６には、スプール７に対する制動力を調節する公知のドラグ機構を操作するための回転体１５（ドラグ調節体）が設けられている。
【００１３】
ハンドル軸６に取り付けられた駆動歯車１０には、従動歯車３３が噛合されており、この従動歯車３３には、スプール側に歯車３４が一体回転可能となるように併設されている。また、左右側板３ａ，３ｂ間には、スプール７の上方位置において、レバー状の補助操作部１７が回転可能となるように配設されている。この補助操作部１７は、左右の枠２ａ，２ｂ間に軸受３０を介して回転可能に支持された回転軸３１に囲繞するように設けられており、好ましくは、図に示すように、指で操作し易いような凹凸形状、或いは滑り難い材料で形成されている。そして、回転軸３１の一端部は、右枠２ｂからハンドル側に突出しており、その突出端には、一方向クラッチ７０を介して、歯車３４と噛合する歯車３２が取り付けられている。この場合、一方向クラッチ７０は、ハンドル５の操作に伴って回転する駆動歯車１０の回転駆動力を回転軸３１に伝達せず、一方、補助操作部１７の回動操作力（回転軸３１の回転力）を駆動歯車１０側に伝達するようになっている。
【００１４】
このような補助操作部１７を設けたことにより、キャスティング操作を行った後、ルアーアクションを行なうに際して、ロッドと共にリール本体１の反ハンドル側側板３ａを握持保持している手の指（親指）Ｆで補助操作部１７をスプール７側の手前に向けて回転操作する（図１、図４、図５参照）ことで、回転軸３１、歯車３２、歯車３４、歯車３３、駆動歯車１０の順に動力伝達され、ピニオン１２、スプール軸８を介してスプール７を回転させて、釣糸の巻取り操作が行なえるようになる。すなわち、ロッドを操作する腕の伸縮状態や、その腕の手首の状態に何等影響を受けることなく、リール本体１を握持保持し、左右側板３ａ，３ｂ間の上部前方に配置した指載せ部Ｓに載置された手の親指Ｆの腹部による簡単な押圧回転操作（図１、図４、図５参照）で、容易かつ微妙な釣糸の巻取り操作（釣糸の補助的な巻回）が行えるようになる。
【００１５】
この場合、補助操作部１７をリール本体１の両側板３ａ，３ｂ間に配設したことで、リール本体１における突出部を少なくすると共に、側板３ａ，３ｂ間のデッドスペースを有効に活用して補助操作部１７を配設することができ、さらに、リール本体１を包み込むように握持保持した際、操作が行ない易い両側板３ａ，３ｂ間に補助操作部１７を横架させたことで、キャスティング後に、安定した状態でスプール７の微妙な巻取り操作が行えるようになる。つまり、リール本体１を保持する右手又は左手の両方の手の指Ｆで容易に巻取り補助操作が行なえるようになる。
【００１６】
また、本実施形態において、ピニオン１２は、スプール軸８と同軸的に延出し且つ右側板３ｂに軸受を介して回転可能に支持されたピニオン軸として形成されており、スプール軸８の軸方向に沿って移動できる。また、ピニオン１２の外周には円周溝１２ａが形成されており、この円周溝１２ａには、ピニオン１２を軸方向に移動させる後述するクラッチ機構５２の作動部材（ヨーク）５０が係合している。
【００１７】
また、ピニオン１２は、スプール軸８の端部に形成された断面が非円形の係合部と嵌合する嵌合部を端部に有しており、作動部材５０によってスプール７側に移動されると、前記嵌合部がスプール軸８の前記係合部に嵌合状態で係合してハンドル５の操作力（駆動歯車１０の回転駆動力）をスプール軸８（スプール７）に伝達する（クラッチＯＮ状態（釣糸巻取状態；動力伝達状態））とともに、作動部材５０によって右側板３ｂ側に移動されると、前記嵌合部がスプール軸８の前記係合部から外れてハンドル５の操作力をスプール軸８（スプール７）に伝達しない（クラッチＯＦＦ状態（釣糸放出状態；スプールフリー状態））。
【００１８】
図３に示されるように、クラッチ機構５２は、スプール軸８を中心に回動可能なクラッチ作動板５３と、クラッチ作動板５３の回動動作に連動してピニオン１２に沿って移動する作動部材５０とを備えている。この場合、作動部材５０は、ピニオン１２の円周溝１２ａに略１８０°に亘って嵌合するとともに、径方向に延出する一対の腕部５０ａ，５０ｂを有している。
【００１９】
また、クラッチ作動板５３は、クラッチ切換部材１８に連結されている。この場合、クラッチ切換部材１８は、クラッチ作動板５３からこれと略垂直に延びるとともに、右フレーム２ｂに上下にわたって形成された長孔５５を貫通しており、スプール７を釣糸巻取状態（スプール７の釣糸巻取方向への回転のみを許容する状態）と釣糸放出状態（スプールを自由に正逆回転させる状態）とに切換えるための操作部材（クラッチレバー）として機能する。すなわち、クラッチ切換部材１８は、長孔５５に沿って上下に移動して、クラッチ作動板５３と一体に回動できる。なお、クラッチ切換部材１８は、スプール７を挟んで補助操作部１７と対向するように、左右の枠２ａ，２ｂ間で延びており、リール本体１の反ハンドル側の側板３ａを握持保持した手の指（親指）Ｆで操作できるようになっている（図１参照）。
【００２０】
クラッチ作動板５３の表面には、作動部材５０と係合可能な一対のカム面５７が形成されている。これらのカム面５７は、クラッチ作動板５３の回動に伴って作動部材５０の各腕部５０ａ，５０ｂの裏面に対して係脱し、作動部材５０を軸方向に移動させる（これによって、ピニオン１２が前述したようにクラッチＯＮ状態とクラッチＯＦＦ状態との間で移動する）。なお、作動部材５０は、右フレーム２ｂに突設された支持ピン５９によって各腕部５０ａ，５０ｂが保持されており、各支持ピン５９に配設されたバネ部材（図示せず）によりクラッチ作動板５３に向けて常時付勢されている。
【００２１】
また、右フレーム２ｂにはボス６０が突設されるとともに、クラッチ作動板５３にはボス６０が係合する周方向溝６１が形成されている。これらの周方向溝６１およびボス６０は、周方向溝６１の両端にボス６０が突き当たることにより、クラッチ作動板５３の回動範囲を規定する。
【００２２】
右フレーム２ｂ側（具体的には、右フレーム２ｂに設けられた後述するフリッピング切換レバー２７）とクラッチ作動板５３との間には、付勢手段としての振り分けバネ３７が介挿されている。この振り分けバネ３７は、そのデッドポイントを超えることにより、クラッチ切換部材１８の移動操作に伴って回動するクラッチ作動板５３の回動位置を保持し、クラッチをＯＮ状態とＯＦＦ状態のいずれか一方に振り分け保持する。
【００２３】
また、本実施形態においては、振り分けバネ３７によるクラッチのＯＮ状態およびＯＦＦ状態のそれぞれの振り分け保持を可能にする第１の状態と、振り分けバネ３７によるクラッチＯＦＦ状態の保持を不可能にする第２の状態とに切換え可能なフリッピング切換レバー２７が設けられている。このフリッピング切換レバー２７は、リール本体１の反ハンドル側の側板３ａを握持保持した手の指Ｆで操作できるように（図１参照）、スプール７の右側方位置、具体的には右フレーム２ｂ上に設けられている。
【００２４】
図６〜図９に詳しく示されるように、フリッピング切換レバー２７は、振り分けバネ３７の支点を形成するボス４２で、振り分けバネ３７の一端を支持しており、操作部となるその頭部が右フレーム２ｂの長溝状の開口３８を通じて外部に突出している。また、フリッピング切換レバー２７は、リール本体１側に固定された係止機構４０によって前記第１の状態と前記第２の状態とに保持されるようになっている。具体的には、フリッピング切換レバー２７は、リール本体１内で延びる例えば円弧状の延在部２７ａを有しており、この延在部２７ａには、その延在方向に沿って所定の間隔を隔てて一対の係止凹部４５，４６が形成されている。一方、前記係止機構４０は、各係止凹部４５，４６に対して選択的に係合してフリッピング切換レバー２７の切換え位置を保持する係合部材４４と、この係合部材４４を係止凹部４５，４６と係止させる方向に付勢するバネ４３とを有している。そして、このような構成においては、フリッピング切換レバー２７が図６および図７に示される位置に移動されると、係止機構４０の係合部材４４が第２の係止凹部４６と係合して、フリッピング切換レバー２７がこの位置に保持されるとともに、クラッチ切換部材１８の操作に伴う振り分けバネ３７の振り分け作用により、クラッチをＯＮ状態（図６の状態）とＯＦＦ状態（図７の状態）とにそれぞれ振り分け保持することができる前記第１の状態に設定される。一方、フリッピング切換レバー２７が図８および図９に示される位置に移動されると、係止機構４０の係合部材４４が第１の係止凹部４５と係合して、フリッピング切換レバー２７がこの位置に保持されるとともに、振り分けバネ３７の支点４２が変位して、クラッチＯＮ状態からＯＦＦ状態への振り分けバネ３７のデッドポイント超えが不可能な前記第２の状態に設定される。したがって、クラッチ切換部材１８を指Ｆで押圧操作してクラッチＯＮ状態（図８の状態）からクラッチＯＦＦ状態（図９の状態）に切換えても、この段階で振り分けバネ３７がそのデッドポイントを超えないため、クラッチ切換部材１８から指Ｆを離すと、振り分けバネ３７の付勢力により、自動的にクラッチＯＮ状態（図８の状態）に復帰してしまう。
【００２５】
以上のように、本実施形態の魚釣用リールは、リール本体１を保持した手の指（親指）で操作可能となるように、クラッチ機構５２をスプールフリー状態（ＯＦＦ状態）と動力伝達状態（ＯＮ状態）のそれぞれの状態に切換え可能なクラッチ切換部材１８を有するとともに、スプール７に釣糸を補助的に巻回可能とする補助操作部１７を有している。したがって、例えばフリッピング切換えレバー２７を前記第２の状態に設定した状態で、リール本体１の反ハンドル側の側板３ａを握持保持した手の指Ｆでクラッチ切換部材１８を押圧操作してクラッチ機構５２をＯＦＦ状態にしたまま、キャスティング（釣糸放出）を行ない、その後、クラッチ切換部材１８から指Ｆを離して（ここで、自動的にクラッチＯＮ状態になる）、その指Ｆを補助操作部１７に置き換えて補助操作部１７を操作することにより、クラッチＯＮ状態での釣糸巻取りを行ない、同時に、リール本体１の反ハンドル側の側板３ａを握持保持した手でロッド（釣竿）を操作するといった一連の操作（クラッチをＯＦＦ状態にしてキャスティングを行なった後、クラッチをＯＮ状態に戻して魚の誘導操作を行なうといった一連の操作）を容易且つ確実に行なうことができる。すなわち、本実施形態によれば、クラッチ切換部材１８を操作することで、スプール７をスプールフリー状態に切換えてキャスティングした後、素早く動力伝達状態に移行復帰でき、かつ、引き続いて行なわれる魚の誘導操作等、このような一連の魚釣操作を、リール本体１を保持した一方の手の指Ｆの操作で総て行なえるため、操作性が非常に良く、状況に応じた素早い対応が可能となる。
【００２６】
図１０および図１１には、本発明の第２の実施形態が示されている。なお、本実施形態は、第１の実施形態の変形例であるため、第１の実施形態と共通する構成部品については、以下、同一符号を付してその説明を省略する。
【００２７】
図示のように、本実施形態においては、補助操作部１７がレバー状ではなく、ダイヤル状を成すとともに、回転軸３１と歯車３２との間に一方向クラッチ７０が設けられていない。したがって、本実施形態では、ハンドル５の操作に伴って補助操作部１７が回転するが、補助操作部１７がレバー状ではなくダイヤル状を成しているため、ハンドル５の操作が補助操作部１７によって妨げられることはない。なお、それ以外の構成は第１の実施形態と同一である。
【００２８】
また、図１２には、本発明の第３の実施形態が示されている。本実施形態の場合も、第１の実施形態と共通する構成部品に同一符号が付されている。
【００２９】
図示のように、本実施形態では、クラッチ切換部材１８の側部に、スプール７側（内側）に突出する突出係止部１８ａが形成されており、指（親指）Ｆでクラッチ切換部材１８を押圧してクラッチＯＦＦ状態に設定した状態から、指Ｆを突出係止部１８ａに係止させてクラッチ切換部材１８を引き上げ操作することにより、容易にクラッチＯＮ状態に切換えられるようになっている。このようにクラッチＯＮ状態への復帰が１つの指で簡単に行なえるようになっていれば、フリッピング切換えレバー２７を省くことも可能となる。
【産業上の利用可能性】
【００３０】
本発明は、クラッチ機構を有する両軸受型リール、スピニングリールなど、様々な種類の魚釣用リールに適用することができる。
【図面の簡単な説明】
【００３１】
【図１】本発明の第１の実施形態に係る魚釣用リールの正面図である。
【図２】図１の魚釣用リールの一部断面を有する正面図である。
【図３】図２のＡ−Ａ線に沿う断面図である。
【図４】補助操作部を指で操作する状態を示す断面図である。
【図５】補助操作部を指で操作した状態を示す断面図である。
【図６】フリッピング切換えレバーを第１の状態に設定したまま、クラッチ機構をＯＮ状態に設定した状態を示す要部断面図である。
【図７】フリッピング切換えレバーを第１の状態に設定したまま、クラッチ機構をＯＦＦ状態に設定した状態を示す要部断面図である。
【図８】フリッピング切換えレバーを第２の状態に設定したまま、クラッチ機構をＯＮ状態に設定した状態を示す要部断面図である。
【図９】フリッピング切換えレバーを第２の状態に設定したまま、クラッチ機構をＯＦＦ状態に設定した状態を示す要部断面図である。
【図１０】本発明の第２の実施形態に係る魚釣用リールの図３に対応する断面図である。
【図１１】図１０の魚釣用リールにおいて、補助操作部を操作している状態を示す要部断面図である。
【図１２】本発明の第３の実施形態に係る魚釣用リールの正面図である。
【符号の説明】
【００３２】
１    リール本体
１７    クラッチ切換部材（切換部材）
１８    補助操作部
【図１】
2005095086.tif 000003
【図２】
2005095086.tif 000004
【図３】
2005095086.tif 000005
【図４】
2005095086.tif 000006
【図５】
2005095086.tif 000007
【図６】
2005095086.tif 000008
【図７】
2005095086.tif 000009
【図８】
2005095086.tif 000010
【図９】
2005095086.tif 000011
【図１０】
2005095086.tif 000012
【図１１】
2005095086.tif 000013
【図１２】
2005095086.tif 000014